(57)【要約】【課題】本発明では、ＬＰＰ信号を高精度に検出することが可能なフォトディテクタを有する光ディスク記録再生装置を提供する。【解決手段】光ディスクのグルーブの接線に対して垂直方向の両端から反射光を遮光する遮光板を光ディスク記録再生装置のフォトディテクタに設置する。そして、グルーブの接線に対して垂直方向の両端から反射光の一部を遮光した受光スポットをフォトディテクタ上に形成することにより、ＬＰＰによって反射光の回折角が変化した受光スポットにおけるグルーブの接線に対して左右の明度の差を向上させる。【選択図】　図３
2004110934.tif 000002
【特許請求の範囲】
【請求項１】
ＬＰＰを有する光ディスクに対して照射したレーザビームの反射光を検出するフォトディテクタを有する光ディスク記録再生装置において、
前記フォトディテクタの両端に前記光ディスクの記録トラックの両側からの反射光の一部を遮光する遮光板を設けた
ことを特徴とする光ディスク記録再生装置。
【請求項２】
前記遮光板は、
前記フォトディテクタの中心に向かって湾曲している
ことを特徴とする請求項１記載の光ディスク記録再生装置。
【発明の詳細な説明】
【０００１】
【発明の属する技術分野】
本発明は、光ディスク記録再生装置のフォトディテクタに関し、特に、回析強度分布を補正し、ＬＰＰ特性を改善することが可能なフォトディテクタを有する光ディスク記録再生装置に関する。
【０００２】
【従来の技術】
一般に、ＤＶＤ−Ｒ（Ｄｉｇｉｔａｌ　Ｖｅｒｓａｔｉｌｅ　Ｄｉｓｃ　−　Ｒｅｃｏｒｄａｂｌｅ）のディスクは、透明樹脂基板上に、記録層（色素膜）、反射層（金属膜）、保護層等の各層がスパッタリングやスピンコートで成膜された多層構造を有している。
【０００３】
そして、図７に示すように、透明樹脂基板の表面には、グルーブ２０と呼ばれるレーザビームの案内溝が形成され、ここに記録信号に基づくピット２１（記録ピット）を形成することにより、データの記録が行われている。
【０００４】
また、溝と溝の間の領域をランド２２といい、このランドには、アドレス情報等を含むＬＰＰ１０３（Ｌａｎｄ　Ｐｒｅ−Ｐｉｔ）が所定の規則に従って配置されている。
【０００５】
さて、レーザビームをＤＶＤ−Ｒの記録面に照射した際に形成されるビームスポットＳのスポット径は、グルーブ幅よりも大きいため、グルーブの隣接ランドにもビームスポットの一部が漏れ込む。
【０００６】
このため、ＤＶＤ−Ｒを照射したレーザビームの反射光には、グルーブからの情報成分（ＲＦ信号）と、グルーブの隣接ランドに形成されたＬＰＰからの情報成分（ＬＰＰ信号）とが含まれる。
【０００７】
ここで、図７のスポットＳ１、Ｓ２に示すように、ＬＰＰが配置されている領域からの反射光がフォトディテクタ上に形成する受光スポットは、図８（ｂ）、（ｄ）に示すように、ＬＰＰによって反射光の回折角が変化するため、グルーブの接線方向に対して平行に分割した左右の領域（Ａ＋ＤとＢ＋Ｃ）とで明度が異なる。
【０００８】
なお、図８（ａ）、（ｂ）、（ｃ）、（ｄ）は、図７における各ビームスポットＳ１、Ｓ２、Ｓ３、Ｓ４の反射光がフォトディテクタ上に形成する受光スポットにそれぞれ対応しており、また、矢印は、レーザビームの走査方向（Ｘ軸方向：光ディスクのトラックの向き）を示している。
【０００９】
そして、反射光を受光するフォトディテクタでは、例えば、図９に示すように、グルーブの接線方向（Ｘ軸方向）と光りディスクの半径方向（Ｙ軸方向）のそれぞれに対応して２分割した４分割のフォトディテクタを用い、各領域（Ａ、Ｂ、Ｃ、Ｄ）の反射光を受光素子で受光し、次式に示すように、各領域の出力信号からグルーブに垂直な方向（Ｙ軸方向）の差分を演算し、この差分信号（プッシュプル信号）を所定の閾値により２値化してＬＰＰ信号を検出している。
【００１０】
ＬＰＰ信号＝（Ｂ＋Ｃ）−（Ａ＋Ｄ）
また、受光素子の各領域からの出力信号の総和によりＲＦ信号を検出している。
【００１１】
【発明が解決しようとする課題】
しかし、図７において、スポットＳ３、Ｓ４が示すように、記録ピットが存在する領域からの反射光は、図８（ｃ）、（ｄ）に示すように、受光スポット全体の明度が低下するため、グルーブの接線方向に対して左右の出力信号の差が減少し、ＬＰＰ信号振幅が低下する。
【００１２】
このため、ＬＰＰ信号を検出することが可能な範囲を示すＡＲ（Ａｐｅｒｔｕｒｅ　Ｒａｔｉｏ）　が低下し、ＬＰＰ信号を高精度で検出することが困難となる場合があった。
【００１３】
また、ＡＲは、ＲＦ信号の変調度が増加するに従って低下するため、ＲＦ信号の変調度が増加するにつれてＬＰＰ信号を検出することがさらに困難となっていた。
【００１４】
加えて、従来は、記録メディアや回路を用いてＬＰＰ特性を良好に保っていたが、記録速度の高速化などに伴い、従来技術のみで対応することは困難となっていた。
【００１５】
そこで本発明では、ＬＰＰ信号を高精度に検出することが可能なフォトディテクタを有する光ディスク記録再生装置を提供することを目的とする。
【００１６】
【課題を解決するための手段】
本発明の光ディスク記録再生装置は、ＬＰＰを有する光ディスクに対して照射したレーザビームの反射光を検出するフォトディテクタを有する光ディスク記録再生装置において、フォトディテクタの両端に前記光ディスクの記録トラックの両側からの反射光の一部を遮光する遮光板を設けたことを特徴とする。
【００１７】
この構成では、ＬＰＰによって回折角が変化した反射光で形成された受光スポットにおいて、グルーブの接線方向に対する左右の明度の差が増加するため、ＬＰＰ信号を高精度に検出することが可能となる。
【００１８】
また、遮光板がフォトディテクタの中心に向かって湾曲していることにより、受光スポット全体の明度の低下を抑えながら、ＬＰＰによって明度のバランスが変化した受光スポットの明度の差を向上させることができる。
【００１９】
これは、記録ピットとＬＰＰとが隣接した場合に、回析影響が大きく、安定したＬＰＰ信号を得ることができないが、フォトディスクを湾曲させることによって、隣接するＬＰＰからの回析影響のみを低減させることができるためである。
【００２０】
このような構成は、記録ピットが３Ｔ信号のような短い信号の場合が特に有効である。
【００２１】
【発明の実施の形態】
以下、本発明に係る光ディスク記録再生装置の一実施の形態を添付図面を参照して詳細に説明する。
【００２２】
図１は、光ディスク記録再生装置の構成を示す概略ブロック図である。
【００２３】
図１において、光ディスク記録再生装置は、光ピックアップ１、ＬＰＰ信号補正回路２、ＲＦ信号補正回路３、信号抽出回路４が設けられている。
【００２４】
また、光ピックアップ１には、図２に示すように、グルーブの接線方向（Ｘ軸方向）と光りディスクの半径方向（Ｙ軸方向）のそれぞれに対応して２分割した４分割のフォトディテクタ１１、各受光領域から出力される信号の差分を演算してプッシュプル信号（ＰＰ信号）を算出し、各受光領域から出力される信号の和を演算してＲＦ信号を算出する信号算出部１２が設けられている。
【００２５】
そして、光ピックアップ１は、回転駆動された光ディスク５の記録面に対して再生用レーザビームを照射するとともに、照射した再生用レーザビームの上記記録面からの反射光をフォトディテクタ１１で受光し、受光した反射光の光量から信号算出部１２において、ＰＰ信号とＲＦ信号とを算出する。
【００２６】
ＬＰＰ信号補正回路２には、光ピックアップ１から出力されたＰＰ信号およびＲＦ信号が入力され、ＰＰ信号が担うＬＰＰ信号の振幅をＲＦ信号ＲＦによって補正する。
【００２７】
ＬＰＰ信号補正回路２から出力された信号は、信号抽出回路４に入力され、ＬＰＰ信号ＬＰＰが抽出される。
【００２８】
信号抽出回路４から出力されたＬＰＰ信号は、図示しないＣＰＵ等の演算回路に入力されてアドレス情報再生等に用いられるとともに、ＲＦ信号補正回路３に入力される。
【００２９】
ＲＦ信号補正回路３では、入力されたＲＦ信号の振幅がＬＰＰ信号により補正され、光ディスク５に記録された所望の情報の再生信号が出力される。
【００３０】
そして、図３は、本発明に係るフォトディテクタの構成を示す概略図であり、グルーブの接線方向（Ｘ軸方向）と平行に遮光板１３がフォトディテクタ１１の受光面（反射光が入射する面）１４側に設けられている。
【００３１】
ここで、遮光板１３は、記録ピットが形成されるグルーブの接線方向（光ディスクのトラックの接線方向）と平行に、フォトディテクタの端から任意の距離を遮光するように設けられている。
【００３２】
また、好ましくは、図３（ｂ）または（ｃ）に示すように、フォトディテクタ上で遮光される光の形状が長方形もしくは楕円形となる形状を有している。
【００３３】
図４（ａ）は、図７においてスポットＳ４で示すように、ＬＰＰに隣接する位置に記録ピットが形成された領域の反射光がフォトディテクタ上に形成する受光スポットである。
【００３４】
そして、図４（ｂ）は、遮光板を設けたフォトディテクタ上に形成される受光スポットであり、遮光板により遮光される領域を斜線で示している。
【００３５】
遮光板は、ＬＰＰによる回折角の変化により形成された、領域Ｂ、Ｄにおいて比較的明度の高い領域Ｈを遮光すると共に、領域Ａ、Ｃにおいて比較的明度の低い領域Ｌを遮光しており、グルーブの接線方向に対して左右の明度の差が増加した受光スポットがフォトディテクタ上に形成される。
【００３６】
このため、グルーブの接線方向に対して左右の出力信号の差が増加し、ＬＰＰ信号を高精度に検出することが可能となる。
【００３７】
ここで、本発明に係る遮光板を用いたフォトディテクタと、従来用いられていた遮光板を有しないフォトディテクタとを用い、変調度を変化させながらＡＲを測定した。
【００３８】
測定結果を表１に示す。
【００３９】
【表１】
2004110934.tif 000003
表１に示すように、遮光板を設けることによりＡＲが向上し、また、変調度が高い領域においてもＬＰＰ信号を検出することが可能となる。
【００４０】
ここで、本実施の形態では、ピット状のＬＰＰを高精度に検出しているが、図５に示すように、グルーブを蛇行させて形成したＬＰＰを高精度に検出することも可能であり、第２の実施の形態として、グルーブを蛇行させて形成したＬＰＰについて説明する。
【００４１】
なお、本実施の形態では、図５に示すように、記録トラックの進行方向に対して右側にグルーブを蛇行させて形成したＬＰＰを検出する。
【００４２】
グルーブを蛇行させて形成したＬＰＰにレーザービームを照射すると、図６（ａ）に示すように、フォトディテクタ上に形成される受光スポットは、蛇行の方向に応じて移動する。
【００４３】
そして、図６（ｂ）は、遮光板を設けたフォトディテクタ上に形成される受光スポットであり、遮光板により遮光される領域を斜線で示している。
【００４４】
遮光板は、グルーブの蛇行により形成されたＬＰＰにより形成された、領域Ａ、Ｃにおいて比較的明度の高い領域Ｈを遮光すると共に、領域Ｂ、Ｄにおいて比較的明度の低い領域Ｌを遮光しており、グルーブの接線方向に対して左右の明度の差が増加した受光スポットがフォトディテクタ上に形成される。
【００４５】
このため、グルーブの接線方向に対して左右の出力信号の差が増加し、ＬＰＰ信号を高精度に検出することが可能となる。
【００４６】
なお、本実施の形態では４分割フォトディテクタを用いているが、２分割フォトディテクタなど、グルーブの接線方向に対して平行に分割したフォトディテクタに用いることができる。
【００４７】
【発明の効果】
本発明では、ＬＰＰ信号を高精度に検出することができる。
【図面の簡単な説明】
【図１】本発明に係る光ディスク記録再生装置の構成の一例を示す概略ブロック図
【図２】本発明に係る光ディスク記録再生装置のピックアップの構成の一例を示す概略ブロック図
【図３】本発明に係る遮光板を設けたフォトディテクタの構成の一例を示す概略図
【図４】第１の実施の形態においてフォトディテクタ上に形成される受光スポットを示す概略図
【図５】グルーブを蛇行させてＬＰＰを形成した光ディスクの記録層の構成を示す概略図
【図６】第２の実施の形態においてフォトディテクタ上に形成される受光スポットを示す概略図
【図７】光ディスクの記録層の構成を示す概略図
【図８】フォトディテクタ上に形成される受光スポットを示す概略図
【図９】４分割フォトディテクタの構成を示す概略図
【符号の説明】
１…光ピックアップ
２…信号補正回路
３…信号補正回路
４…信号抽出回路
５…光ディスク
１１…フォトディテクタ
１２…信号算出部
１３…遮光板
２０…グルーブ
２１…ピット
２２…ランド
Ｓ１、Ｓ２、Ｓ３、Ｓ４…ビームスポット
【図１】
2004110934.tif 000004
【図２】
2004110934.tif 000005
【図３】
2004110934.tif 000006
【図４】
2004110934.tif 000007
【図５】
2004110934.tif 000008
【図６】
2004110934.tif 000009
【図７】
2004110934.tif 000010
【図８】
2004110934.tif 000011
【図９】
2004110934.tif 000012